(57)【特許請求の範囲】
【請求項１】
ＳＰキャリアを含む地上デジタル放送のＯＦＤＭ信号を受信し、前記ＯＦＤＭ信号から前記ＳＰキャリアを抽出し、前記ＳＰキャリアに基づいて、ＩＦＦＴ処理により遅延プロファイルを測定する遅延プロファイル測定装置において、
前記測定した遅延プロファイルにおける有効シンボル長の１／１２の整数倍の遅延時間に相当する遅延波のデータと、前記測定した過去の遅延プロファイルにおける前記遅延時間に相当する遅延波のデータとを比較し、これらの差分を算出する遅延プロファイル比較部と、
前記遅延プロファイル比較部により算出された差分が、予め設定された閾値よりも大きいと判定した場合、前記遅延プロファイルは異常であると判断する異常判断部と、を備え、
前記遅延波のデータを遅延波のＤＵ比データとする、ことを特徴とする遅延プロファイル測定装置。
【請求項２】
ＳＰキャリアを含む地上デジタル放送のＯＦＤＭ信号を受信し、前記ＯＦＤＭ信号から前記ＳＰキャリアを抽出し、前記ＳＰキャリアに基づいて、ＩＦＦＴ処理により遅延プロファイルを測定する遅延プロファイル測定装置において、
前記測定した遅延プロファイルにおける有効シンボル長の１／１２の整数倍の遅延時間に相当する遅延波のデータと、前記測定した過去の遅延プロファイルにおける前記遅延時間に相当する遅延波のデータとを比較し、これらの差分を算出する遅延プロファイル比較部と、
前記遅延プロファイル比較部により算出された差分が、予め設定された閾値よりも大きいと判定した場合、前記遅延プロファイルは異常であると判断する異常判断部と、を備え、
前記遅延波のデータを遅延波の位相データとする、ことを特徴とする遅延プロファイル測定装置。
【請求項３】
請求項１または２に記載の遅延プロファイル測定装置において、
前記遅延プロファイル比較部は、前記測定した遅延プロファイルにおける有効シンボル長の１／１２の整数倍の遅延時間に相当する遅延波のデータと、前記測定した遅延プロファイルのうち、過去の１シンボル分の遅延プロファイルにおける前記遅延時間に相当する遅延波のデータとを比較し、または、前記測定した遅延プロファイルにおける有効シンボル長の１／１２の整数倍の遅延時間に相当する遅延波のデータと、前記測定した遅延プロファイルのうち、過去の複数シンボル分の遅延プロファイルにおける前記遅延時間に相当する遅延波のデータの平均値とを比較し、これらの差分を算出する、ことを特徴とする遅延プロファイル測定装置。
【請求項４】
請求項１から３までのいずれか一項に記載の遅延プロファイル測定装置において、
前記異常判断部は、前記遅延プロファイル比較部により算出された差分が前記閾値よりも大きいと判定した場合、前記遅延プロファイルは異常であると判断し、異常フラグを画面に表示すると共に、前記遅延プロファイル及び前記差分のうちの少なくとも前記遅延プロファイルを画面に表示し、前記差分が前記閾値以下であると判定した場合、前記遅延プロファイルは正常であると判断し、前記遅延プロファイル及び前記差分のうちの少なくとも前記遅延プロファイルを画面に表示する、ことを特徴とする遅延プロファイル測定装置。
【請求項５】
請求項１から３までのいずれか一項に記載の遅延プロファイル測定装置において、
前記異常判断部は、前記遅延プロファイル比較部により算出された差分が前記閾値よりも大きいと判定した場合、前記遅延プロファイルは異常であると判断し、前記測定した遅延プロファイルの画面表示を行わず、前記差分が前記閾値以下であると判定した場合、前記遅延プロファイルは正常であると判断し、前記遅延プロファイル及び前記差分のうちの少なくとも前記遅延プロファイルを画面に表示する、ことを特徴とする遅延プロファイル測定装置。
【請求項６】
請求項１から３までのいずれか一項に記載の遅延プロファイル測定装置において、
前記異常判断部は、前記遅延プロファイル比較部により算出された差分が前記閾値以下であると判定した場合、前記遅延プロファイルは正常であると判断し、前記遅延プロファイル及び前記差分のうちの少なくとも前記遅延プロファイルを画面に表示し、前記差分が前記閾値よりも大きいと判定した場合、前記遅延プロファイルは異常であると判断し、前記遅延プロファイルは正常であると判断したときの遅延プロファイルまたは複数の遅延プロファイルの平均値を画面に表示する、ことを特徴とする遅延プロファイル測定装置。
【請求項７】
コンピュータを、請求項１から６までのいずれか一項に記載の遅延プロファイル測定装置として機能させるための遅延プロファイル測定プログラム。
【発明の詳細な説明】
【技術分野】
【０００１】
本発明は、地上デジタル放送波の遅延プロファイルを測定する装置及びプログラムに関する。
【背景技術】
【０００２】
日本の地上デジタル放送波は、ＩＳＤＢ（Integrated Services Digital Broadcasting：統合デジタル放送サービス）−Ｔ方式に従った変調方式で送信される。ＩＳＤＢ−Ｔ方式では、数千本からなるＯＦＤＭ（Orthogonal Frequency Division Multiplexing：直交周波数分割多重）キャリアが用いられ、各キャリアは、ＱＰＳＫ（Quadrature Phase Shift Keying：四相位相偏移変調）、１６ＱＡＭ（Quadrature Amplitude Modulation：直角位相振幅変調）、６４ＱＡＭ等の方式にて変調される。ＱＡＭの方式にて変調されたキャリアを復調するためには、基準位相及び基準レベルの信号が必要である。この基準位相及び基準レベルの信号として、ＳＰキャリア（Scattered Pilot：スキャッタードパイロット）が用いられる。
【０００３】
図１は、地上デジタル放送のＳＰキャリア配置を説明する図である。図１に示すように、ＯＦＤＭシンボル中のキャリアには、ＳＰキャリアが挿入されている。ＳＰキャリアは、振幅及び位相が予め所定の規定により定められた既知の信号であり、周波数軸方向に１２キャリアに１個の割合で挿入されている。ＩＳＤＢ−Ｔ方式においては、ＯＦＤＭシンボルの帯域右端(最も高い周波数のキャリア)に、ＣＰキャリア(Continual Pilot Carrier：コンティニュアルパイロット)が１本追加されている。ここで、ＳＰキャリアの配置は、ＯＦＤＭシンボル毎に周波数軸方向に３キャリアずつずれており、４種類のＳＰ配置パターンのシンボルが存在する。尚、地上デジタル放送のＩＳＤＢ−Ｔ方式における伝送規格の詳細については、ＡＲＩＢ標準規格ＳＴＤ−Ｂ３１を参照されたい（非特許文献１）。
【０００４】
ところで、地上デジタル放送波の電波伝搬環境を測定するために、遅延プロファイルが用いられる。遅延プロファイルは、地上デジタル放送波の品質を分析するためのデータであり、中継ネットワークを構築する際に用いられる。また、伝送装置の研究開発、受信機等の性能の向上等、様々な用途で利用されている。以下、遅延プロファイルの算出方法について説明する。遅延プロファイルの算出方法として、様々な方法が知られている（例えば、特許文献１を参照）。
【０００５】
図２は、遅延プロファイルを算出するために用いるＳＰキャリアについて、その抽出方法の一例を説明する図である。図２（ａ）は前の３シンボルを利用する方法を示しており、図２（ｂ）は前後のシンボルを利用する方法を示している。図２（ａ）に示すように、遅延プロファイル測定装置は、遅延プロファイルを算出する際の対象となるシンボルのＳＰキャリアを抽出すると共に、当該シンボルの前に受信した３シンボル分のＳＰキャリアを抽出し、当該シンボルのＳＰキャリアの位置に、抽出した３シンボル分のＳＰキャリアを代入し、ＳＰキャリアの間に存在するデータキャリアの位置に、振幅＝０及び位相＝０のデータキャリアを代入（０補完）する。尚、ＳＰキャリアの他の抽出方法として、図２（ｂ）に示すように、当該シンボルの前後のシンボルを使って、ＳＰキャリアを内挿する方法もある。また、一般的には、直交復調を行うために、受信したＳＰキャリアは、Ｉ軸（In-phase：同相成分）及びＱ軸(Quadrature-phase：直交成分)による複素ベクトル表記され、Ｉ軸データ及びＱ軸データによる複素演算が行われるが、ここでは、原理を説明するため、振幅及び位相で表現し、振幅のみに着目して遅延プロファイル測定の原理を述べる。
【０００６】
図３は、遅延プロファイルを算出するためのデータ配列を説明する図である。また、図４は、同じ波形が３回折り返る遅延プロファイルを説明する図である。遅延プロファイル測定装置は、図３に示す、周波数軸上に配列されたＳＰキャリア、データキャリア（０補完したデータキャリア）及び外挿したキャリアに対し、ＩＦＦＴ（Inverse Fast Fourier Transform：高速フーリエ逆変換）処理を施すことにより、図４に示す遅延プロファイルを求める。ここで、ＩＦＦＴ後のデータ数は、時間軸でΔｔ×ＦＦＴ点数分となるが、３キャリアに１個のＳＰデータ以外のデータが０補完されているため、遅延プロファイルは、同じ波形が３回折り返る形態になっている。したがって、有効な遅延プロファイルのデータ範囲は、Δｔ×ＦＦＴ点数のうちの１／３の長さとなる。
【０００７】
また、図４では、遅延プロファイルを振幅データのイメージにて表したが、通常、遅延プロファイルの算出演算は、Ｉ軸データ及びＱ軸データを用いた複素演算によって行われるため、演算結果は位相データを併せ持つ形態であり、振幅データ及び位相データからなる遅延プロファイルがΔｔ毎に得られる。このような遅延プロファイルにより、マルチパスの遅延時間、ＤＵ比（Desired to Undesired signal ratio）及び位相を知ることができ、地上デジタル放送波の品質を分析することができる。
【０００８】
一例として、ＩＳＤＢ−Ｔ方式のＭｏｄｅ３と呼ばれる伝送パラメータでは、キャリア間隔Δｆは125／126＝0.992・・・［ｋＨｚ］、ＦＦＴサンプル速度は512／63＝8.1269・・・［ＭＨｚ］、１シンボルのＦＦＴ点数は213＝8192であり、遅延プロファイルの解像度Δｔ及び遅延プロファイルの時間幅Ｔは、以下の（１）式及び（２）式のようになる。
【数１】
0005478451.tif 000002
【数２】
0005478451.tif 000003
【０００９】
遅延プロファイル測定装置は、できるだけ長い遅延時間までの遅延波を測定するために、各シンボルのＳＰキャリア配置が３キャリアずつずれていることを利用し、図２（ａ）に示したように、連続する４シンボル分のＳＰキャリアのデータを合成し、３キャリアに１個の間隔でＳＰキャリアを配置したデータを処理することにより遅延プロファイルを算出する。ここで、４シンボルのＳＰキャリアのデータを合成するにあたっては、４シンボルを送信または受信する時間の間に、送信装置の送信周波数及び遅延プロファイル測定装置の周波数に変動がないことを前提としている。例えば、ＩＳＤＢ−Ｔパラメータが、現在の日本の地上デジタル放送で主として用いられているＭｏｄｅ３、ＧＩ比＝１／８の場合、ガードインターバルも含めた１シンボルの長さは1134μ秒であり、４シンボルを送信及び受信する間の時間は4536μ秒となる。
【００１０】
現実の送信装置及び遅延プロファイル測定装置では、様々な要因から時間的に周波数が変動する。このため、周波数の変動を補正する手段として、ＧＩ相関を用いたＡＦＣ（Automatic Frequency Control：自動周波数制御）回路による補正手段等が用いられている（特許文献１を参照）。
【先行技術文献】
【特許文献】
【００１１】
【特許文献１】特許第３９６０５１１号公報
【非特許文献】
【００１２】
【非特許文献１】ＡＲＩＢ  ＳＴＤ−Ｂ３１、「地上デジタルテレビジョン放送の伝送方式」
【発明の概要】
【発明が解決しようとする課題】
【００１３】
現用の放送では、送信設備の周波数偏差は規定によって定められており、周波数の偏差は非常に小さい。このため、遅延プロファイル測定装置の基準周波数も安定していれば、遅延プロファイルの演算処理に利用する４シンボルの間で、各シンボル間の周波数ずれは非常に小さく、遅延プロファイルの測定結果には、特に大きな雑音は含まれない。
【００１４】
しかしながら、送信装置の送信周波数または遅延プロファイル測定装置の基準周波数が、回路の故障等により、不安定かつ大きく変動する場合には、前述のＡＦＣ回路による補正手段等を用いたとしても、遅延プロファイルの測定結果に影響を与えてしまい、遅延プロファイル測定装置は、実際には存在しない遅延波の雑音を含む遅延プロファイルを測定してしまうことがあり得る。
【００１５】
図５は、送信装置の周波数のずれが比較的大きい場合の遅延プロファイルの測定結果を示す図であり、架空の遅延波を有する遅延プロファイルの例を示している。伝送パラメータはＩＳＤＢ−Ｔ方式のＭｏｄｅ３であり、有効シンボル長は1008μ秒である。この伝送パラメータにおける有効な遅延プロファイルのデータは、有効シンボル長の１／３である336μ秒までのデータである。横軸は遅延時間［μｓ］を示し、縦軸は相対電力［ｄＢ］、すなわち遅延プロファイルのＤＵ比を示している。
【００１６】
図５に示す遅延プロファイルの測定結果によれば、有効シンボル長の１／１２の整数倍にあたる84，168，252μ秒の部分に、ＤＵ比の小さい、すなわち大きなレベルの遅延波が存在していることがわかる。しかしながら、この測定が行われた実際の伝搬環境には、このような遅延波は存在しておらず、この遅延波は架空のものである。この架空の遅延波が遅延プロファイルの測定結果に現れる理由は、送信装置における送信周波数の変動が比較的大きい場合に、遅延プロファイルを測定するための４シンボルの間で周波数が大きく変動することから、４シンボル間でＳＰキャリアを抽出して遅延プロファイルを測定するためのデータとして、周波数がさほど変動しないという前提条件が崩れていることにある。
【００１７】
図６は、図５に示した遅延プロファイルの測定結果に、架空の遅延波が含まれる理由を説明する図であり、１２キャリアの間隔で存在する特異データを示している。図６に示すように、遅延プロファイルを測定するための４シンボル間による合成後のＳＰキャリアの配列において、第１シンボルから抽出されたＳＰキャリアのデータは、第２〜４シンボルから抽出されたＳＰキャリアのデータと比較すると、周波数の変動により、周波数的に連続性のないデータとなってしまう。このため、第１シンボルから抽出されたＳＰキャリア毎に、すなわち第４シンボルにおいて１２キャリア間隔で特異データが存在する状態となる。すなわち、送信周波数の変動が比較的大きい場合には、対象シンボルである第４シンボルの送信周波数とこれと時間的に最も離れた第１シンボルの送信周波数との間の違いは、第１シンボルと時間的により近い第２，３シンボルの送信周波数との間の違いよりも大きいから、対象シンボルである第４シンボルにおいて、第１シンボルから抽出されたＳＰキャリアは、第２〜４シンボルから抽出されたＳＰキャリアと比較して、各データの周波数連続性の崩れたデータとなってしまう。このため、対象シンボルである第４シンボルにおいて、第１シンボルから抽出されたＳＰキャリア毎の１２キャリア間隔で特異データが存在することとなる。これにより、有効シンボル長1008μ秒の１／１２の間隔の遅延波が、遅延プロファイルの測定結果として検出されてしまう。つまり、84μ秒間隔の遅延波は、本来存在しないものであるにもかかわらず、図５に示したように、遅延プロファイルの測定結果として検出されてしまう。
【００１８】
尚、図５は、送信側の周波数が不安定な場合の異常測定結果として提示したが、受信側の遅延プロファイル測定装置の基準周波数が不安定な場合も同様の結果となる。また、このような周波数の変動の大小は時間的に不規則であることが多いため、周波数変動がある場合において常にこのような測定結果が発生するとは限らない。偶然、周波数変動幅が小さい瞬間に収集した４シンボルによって算出される遅延プロファイルでは、特にこのような異常測定結果とならない可能性もある。さらに、周波数ずれによる特異データの大小、その他の雑音成分の付加状況によって、有効シンボル長の１/１２，２/１２，３/１２の３カ所に発生する架空の遅延波のＤＵ比は変動し、また、各々のＤＵ比は等しいとは限らず、むしろ、熱雑音等のランダム性を持った雑音、データの量子化、ビットの切り上げ、切り下げ等といった非対称性をもった処理のため、各々のＤＵ比は等しくならない場合がほとんどである
【００１９】
このような周波数ずれによる架空の遅延波が、遅延プロファイルの測定結果に含まれるとすると、ユーザは、遅延プロファイルの測定結果のみから、本当に遅延波が存在するのか、または周波数変動による架空の遅延波なのかを、容易に区別することができない。
【００２０】
従来、遅延プロファイルに含まれる遅延波が本当の遅延波であるか、または周波数変動による架空の遅延波であるかを、熟練技術者は、豊富な知識、経験または第六感によって、遅延プロファイルを慎重に監視することで区別していた。または、送信装置の送信周波数及び遅延プロファイル測定装置の基準周波数の変動等を詳細に測定し、分析することによって区別していた。このような分析を行うには、送信設備、受信設備、地上デジタル放送のＳＰキャリアの仕組み等について高度な専門的知識、技術を持ち合わせる必要がある。このため、熟練技術者でないと、正確に区別することができない。つまり、通常のユーザでは、遅延プロファイルの測定結果から、架空の遅延波を本当の遅延波であると誤認識する可能性があり、誤った分析を行ってしまうという問題があった。
【００２１】
そこで、本発明は前記課題を解決するためになされたものであり、その目的は、地上デジタル放送波の遅延プロファイルを測定する際に、遅延プロファイルに、周波数変動による架空の遅延波が含まれるか否かを判断する遅延プロファイル測定装置及びプログラムを提供することにある。
【課題を解決するための手段】
【００２２】
本発明者らは、上記目的を達成すべく鋭意検討を行った。その結果、送信装置の送信周波数または遅延プロファイル測定装置の基準周波数が変動することにより検出される架空の遅延波は、遅延プロファイル上において周期的な間隔で現れ、かつ、常に観測されるわけではなく、観測されたりされなかったりと変化し、周波数変動が特に大きくなった場合にのみ観測されることを見出した。一方、フィールドに実際に存在する（本当の）遅延波は、遅延波の原因となる反射体が高速に移動している場合を除いて、かつ雑音の影響等を除いて、常に同じ遅延時間及び一定レベルで観測される。つまり、実際に存在する遅延波は、架空の遅延波とは異なり、遅延プロファイル上において、周期的な間隔で現れることがない。したがって、本発明による遅延プロファイル測定装置及びプログラムは、遅延プロファイルを複数回連続して測定し、周波数変動により遅延波の成分が現れる可能性のある所定の遅延時間において、遅延波の変化を観測する。これにより、前記課題を解決することができ、遅延プロファイルに含まれる所定の遅延時間における遅延波が、周波数変動による架空の遅延波であるか、または実際に存在する遅延波であるかを正確に判断することができる。そして、遅延プロファイル測定装置は、判断結果のデータを画面表示することにより、ユーザは、遅延プロファイルに含まれる遅延波が架空の遅延波であるか否かについて正確に区別することができる。特に、専門的知識を持っていないユーザまたは経験の少ないユーザにとって有用である。
【００２３】
すなわち、本発明による遅延プロファイル測定装置は、ＳＰキャリアを含む地上デジタル放送のＯＦＤＭ信号を受信し、前記ＯＦＤＭ信号から前記ＳＰキャリアを抽出し、前記ＳＰキャリアに基づいて、ＩＦＦＴ処理により遅延プロファイルを測定する遅延プロファイル測定装置において、前記測定した遅延プロファイルにおける有効シンボル長の１／１２の整数倍の遅延時間に相当する遅延波のデータと、前記測定した過去の遅延プロファイルにおける前記遅延時間に相当する遅延波のデータとを比較し、これらの差分を算出する遅延プロファイル比較部と、前記遅延プロファイル比較部により算出された差分が、予め設定された閾値よりも大きいと判定した場合、前記遅延プロファイルは異常であると判断する異常判断部と、を備え、前記遅延波のデータを遅延波のＤＵ比データとする、ことを特徴とする。
【００２４】
また、本発明による遅延プロファイル測定装置は、ＳＰキャリアを含む地上デジタル放送のＯＦＤＭ信号を受信し、前記ＯＦＤＭ信号から前記ＳＰキャリアを抽出し、前記ＳＰキャリアに基づいて、ＩＦＦＴ処理により遅延プロファイルを測定する遅延プロファイル測定装置において、前記測定した遅延プロファイルにおける有効シンボル長の１／１２の整数倍の遅延時間に相当する遅延波のデータと、前記測定した過去の遅延プロファイルにおける前記遅延時間に相当する遅延波のデータとを比較し、これらの差分を算出する遅延プロファイル比較部と、前記遅延プロファイル比較部により算出された差分が、予め設定された閾値よりも大きいと判定した場合、前記遅延プロファイルは異常であると判断する異常判断部と、を備え、前記遅延波のデータを遅延波の位相データとする、ことを特徴とする。
【００２５】
また、本発明による遅延プロファイル測定装置は、前記遅延プロファイル比較部が、前記測定した遅延プロファイルにおける有効シンボル長の１／１２の整数倍の遅延時間に相当する遅延波のデータと、前記測定した遅延プロファイルのうち、過去の１シンボル分の遅延プロファイルにおける前記遅延時間に相当する遅延波のデータとを比較し、または、前記測定した遅延プロファイルにおけるシンボル長の１／１２の整数倍の遅延時間に相当する遅延波のデータと、前記測定した遅延プロファイルのうち、過去の複数シンボル分の遅延プロファイルにおける前記遅延時間に相当する遅延波のデータの平均値とを比較し、これらの差分を算出する、ことを特徴とする。
【００２６】
また、本発明による遅延プロファイル測定装置は、前記異常判断部が、前記遅延プロファイル比較部により算出された差分が前記閾値よりも大きいと判定した場合、前記遅延プロファイルは異常であると判断し、異常フラグを画面に表示すると共に、前記遅延プロファイル及び前記差分のうちの少なくとも前記遅延プロファイルを画面に表示し、前記差分が前記閾値以下であると判定した場合、前記遅延プロファイルは正常であると判断し、前記遅延プロファイル及び前記差分のうちの少なくとも前記遅延プロファイルを画面に表示する、ことを特徴とする。
【００２７】
また、本発明による遅延プロファイル測定装置は、前記異常判断部が、前記遅延プロファイル比較部により算出された差分が前記閾値よりも大きいと判定した場合、前記遅延プロファイルは異常であると判断し、前記測定した遅延プロファイルの画面表示を行わず、前記差分が前記閾値以下であると判定した場合、前記遅延プロファイルは正常であると判断し、前記遅延プロファイル及び前記差分のうちの少なくとも前記遅延プロファイルを画面に表示する、ことを特徴とする。
【００２８】
また、本発明による遅延プロファイル測定装置は、前記異常判断部が、前記遅延プロファイル比較部により算出された差分が前記閾値以下であると判定した場合、前記遅延プロファイルは正常であると判断し、前記遅延プロファイル及び前記差分のうちの少なくとも前記遅延プロファイルを画面に表示し、前記差分が前記閾値よりも大きいと判定した場合、前記遅延プロファイルは異常であると判断し、前記遅延プロファイルは正常であると判断したときの遅延プロファイルまたは複数の遅延プロファイルの平均値を画面に表示する、ことを特徴とする。
【００２９】
さらに、本発明による遅延プロファイル測定プログラムは、コンピュータを、前記遅延プロファイル測定装置として機能させることを特徴とする。
【発明の効果】
【００３０】
以上のように、本発明によれば、地上デジタル放送波の遅延プロファイルを測定する際に、遅延プロファイルに、周波数変動による架空の遅延波が含まれるか否かを判断することができる。
【図面の簡単な説明】
【００３１】
【図１】地上デジタル放送のＳＰキャリア配置を説明する図である。
【図２】ＳＰキャリアの抽出方法の一例を説明する図である。
【図３】遅延プロファイルを算出するためのデータ配列を説明する図である。
【図４】同じ波形が３回折り返る遅延プロファイルを説明する図である。
【図５】架空の遅延波を有する遅延プロファイルの例を示す図である。
【図６】１２キャリアの間隔で存在する特異データを説明する図である。
【図７】実施例１の遅延プロファイル測定装置の構成を示すブロック図である。
【図８】ＤＵ比データ比較部の処理を示すフローチャートである。
【図９】結果表示部の処理を示すフローチャートである。
【図１０】結果表示部の処理（変形例１）を示すフローチャートである。
【図１１】結果表示部の処理（変形例２）を示すフローチャートである。
【図１２】実施例２の遅延プロファイル測定装置の構成を示すブロック図である。
【発明を実施するための形態】
【００３２】
以下、本発明を実施するための形態について図面を用いて詳細に説明する。以下に説明する実施例１，２の遅延プロファイル測定装置は、ＩＳＤＢ−Ｔ方式に従った変調方式で送信された地上デジタル放送の信号を受信し、遅延プロファイルを測定する。
【００３３】
〔実施例１〕
まず、実施例１について説明する。実施例１は、遅延プロファイルにおける有効シンボル長の１／１２の整数倍に相当する遅延時間のＤＵ比データと、過去の遅延プロファイルにおける同じ遅延時間のＤＵ比データとの間の差分を算出し、この差分データが、予め設定された閾値よりも大きい場合、遅延プロファイルは異常である、と判断する例である。
【００３４】
図７は、実施例１の遅延プロファイル測定装置の構成を示すブロック図である。この  遅延プロファイル測定装置１は、受信アンテナ部１００、チューナー部２００、ＯＦＤＭ復調部３００、周波数特性算出部４００、遅延プロファイル算出部５００、測定トリガー部６００、遅延プロファイルバッファ部７００、ＤＵ比データ比較部（遅延プロファイル比較部）８００及び結果表示部（異常判断部）９００を備えている。
【００３５】
受信アンテナ部１００は、地上デジタル放送のＯＦＤＭ信号を受信するアンテナであり、送信装置から送信された地上デジタル放送のＯＦＤＭ信号を受信し、受信したＯＦＤＭ信号１０１をチューナー部２００に出力する。
【００３６】
チューナー部２００は、受信アンテナ部１００からＯＦＤＭ信号１０１を入力し、ＯＦＤＭ信号１０１のうち、遅延プロファイルを測定するチャンネルの周波数帯域以外の信号をカットし、所望のチャンネルの信号を得て、ＲＦ（Radio Frequency：無線周波数）信号からＩＦ（Intermediate Frequency：中間周波数）信号に周波数変換し、ＩＦ信号２０１をＯＦＤＭ復調部３００に出力する。
【００３７】
ＯＦＤＭ復調部３００は、チューナー部２００からＩＦ信号２０１を入力し、Ａ／Ｄ（Analog／Digital）変換、ガードインターバル相関演算、ＴＭＣＣ（Transmission and Multiplexing Configuration Control）情報検出、ＡＦＣ、シンボル及びフレーム等の各種同期処理、ＦＦＴ等、一連のＩＳＤＢ−Ｔ方式のＯＦＤＭ復調を行い、受信信号のＳＰ信号データ３０１、ＴＭＣＣ情報から得られるモード、ガードインターバル比、シンボル番号の情報等が含まれるパラメータ情報３０２を生成する。そして、ＯＦＤＭ復調部３００は、ＳＰ信号データ３０１を周波数特性算出部４００に出力し、パラメータ情報３０２を周波数特性算出部４００及び遅延プロファイル算出部５００に出力する。
【００３８】
周波数特性算出部４００は、ＯＦＤＭ復調部３００からＳＰ信号データ３０１及びパラメータ情報３０２を入力し、ＳＰ信号データ３０１及びパラメータ情報３０２に基づいて、４シンボル分のＳＰキャリアを抽出し、シンボル毎の周波数特性情報を算出し、周波数特性情報４０１を遅延プロファイル算出部５００に出力する。ここで、周波数特性情報４０１は、ＳＰキャリアのデータを振幅及び位相で表した情報、または、ＳＰキャリアのデータをＩ軸及びＱ軸上のＩ，Ｑデータで表した情報をいう。
【００３９】
遅延プロファイル算出部５００は、ＯＦＤＭ復調部３００からパラメータ情報３０２を入力すると共に、周波数特性算出部４００から周波数特性情報４０１を入力する。そして、遅延プロファイル算出部５００は、周波数特性情報４０１及びパラメータ情報３０２に基づいて、前述した遅延プロファイルの算出方法と同じ処理により、０補完及びＩＦＦＴ処理を行って遅延プロファイルを算出し、遅延プロファイル情報５０１を遅延プロファイルバッファ部７００及びＤＵ比データ比較部８００に出力する。遅延プロファイル情報５０１は、前記式（１）に示したようにΔｔ間隔の離散化データであり、ＤＵ比及び位相で規定されるデータ、または、Ｉ軸及びＱ軸で規定されるデータ（Ｉ，Ｑデータ）である。
【００４０】
測定トリガー部６００は、測定者であるユーザによる測定開始ボタン等の操作に従って、測定開始信号６０１を遅延プロファイルバッファ部７００に出力する。
【００４１】
遅延プロファイルバッファ部７００は、測定トリガー部６００から測定開始信号６０１を入力すると共に、遅延プロファイル算出部５００から遅延プロファイル情報５０１を入力する。遅延プロファイルバッファ部７００は、測定開始信号６０１を入力した後、遅延プロファイル算出部５００から入力した遅延プロファイル情報５０１をメモリに格納する。具体的には、遅延プロファイルバッファ部７００は、遅延プロファイル算出部５００から１シンボル毎の遅延プロファイル情報５０１を入力し、常に新しい１シンボル分の遅延プロファイル情報５０１または複数シンボル分の遅延プロファイル情報５０１がメモリに存在するように、入力した遅延プロファイル情報５０１をメモリに格納する。
【００４２】
また、遅延プロファイルバッファ部７００は、メモリに１シンボル分の遅延プロファイル情報５０１を格納する場合、新たな１シンボル分の遅延プロファイル情報５０１を入力したときに、メモリから１シンボル分の遅延プロファイル情報５０１を読み出し、過去の遅延プロファイル情報７０１としてＤＵ比データ比較部８００に出力する。そして、遅延プロファイルバッファ部７００は、入力した１シンボル分の遅延プロファイル情報５０１をメモリに格納する。これにより、メモリには、常に最新の１シンボル分の遅延プロファイル情報５０１が格納されることになる。
【００４３】
一方、遅延プロファイルバッファ部７００は、メモリに複数シンボル分の遅延プロファイル情報５０１を格納する場合、新たな１シンボル分の遅延プロファイル情報５０１を入力したときに、メモリから複数シンボル分の遅延プロファイル情報５０１を読み出して平均値を算出し、算出した平均値を過去の遅延プロファイル情報７０１としてＤＵ比データ比較部８００に出力する。そして、遅延プロファイルバッファ部７００は、メモリに格納されている複数シンボル分の遅延プロファイル情報５０１のうち、最も過去の１シンボル分の遅延プロファイル情報５０１を削除し、入力した１シンボル分の遅延プロファイル情報５０１をメモリに格納する。これにより、メモリには、常に最新の複数シンボル分の遅延プロファイル情報５０１が格納されることになる。
【００４４】
過去の遅延プロファイル情報７０１は、前述のとおり、過去の１シンボル分の遅延プロファイル情報５０１、または、過去の複数シンボル分の遅延プロファイル情報５０１である。また、過去の遅延プロファイル情報７０１は、前記式（１）に示したようにΔｔ間隔の離散化データであり、遅延プロファイル情報５０１と同様に、ＤＵ比及び位相で規定されるデータ、または、Ｉ軸及びＱ軸で規定されるデータ（Ｉ，Ｑデータ）である。
【００４５】
（ＤＵ比データ比較部）
次に、図７に示すＤＵ比データ比較部８００について説明する。ＤＵ比データ比較部８００は、遅延プロファイル情報５０１における有効シンボル長の１／１２の整数倍に相当する遅延時間のＤＵ比データと、過去の遅延プロファイル情報７０１における同じ遅延時間のＤＵ比データとの間の差分データ８０２（Ｐ1，Ｐ2，Ｐ3）を算出する。
【００４６】
図８は、ＤＵ比データ比較部８００の処理を示すフローチャートである。ＤＵ比データ比較部８００は、遅延プロファイル算出部５００から遅延プロファイル情報５０１を入力すると共に、遅延プロファイルバッファ部７００から過去の遅延プロファイル情報７０１を入力する（ステップＳ８０１）。
【００４７】
ＤＵ比データ比較部８００は、遅延プロファイル情報５０１及び過去の遅延プロファイル情報７０１におけるＤＵ比データのうち、有効シンボル長の１／１２の整数倍に相当する遅延時間におけるＤＵ比データを抽出し、抽出したＤＵ比データを比較し、以下の式（３）（４）（５）に示す差分データ８０２（Ｐ1，Ｐ2，Ｐ3）を算出する（ステップＳ８０２）。
Ｐ1＝｜Ｘb1−Ｘa1｜            ・・・（３）
Ｐ2＝｜Ｘb2−Ｘa2｜            ・・・（４）
Ｐ3＝｜Ｘb3−Ｘa3｜            ・・・（５）
ここで、Ｘa1，Ｘa2，Ｘa3はそれぞれ、遅延プロファイル情報５０１におけるＤＵ比データのうち、有効シンボル長の１／１２，２／１２，３／１２に相当する遅延時間におけるＤＵ比データである。また、Ｘb1，Ｘb2，Ｘb3はそれぞれ、過去の遅延プロファイル情報７０１におけるＤＵ比データのうち、有効シンボル長の１／１２，２／１２，３／１２に相当する遅延時間におけるＤＵ比データである。有効シンボル長の１／１２，１２／１２，３／１２に相当する遅延時間は、例えばＭｏｄｅ３の場合、84，168，252μ秒となる。
【００４８】
尚、ＤＵ比データ比較部８００は、遅延プロファイル算出部５００からＩ，Ｑデータの遅延プロファイル情報５０１を入力し、遅延プロファイルバッファ部７００からＩ，Ｑデータの過去の遅延プロファイル情報７０１を入力した場合、各Ｉ，Ｑデータを、主波との比率で表されるＤＵ比データに換算し、前述と同様の処理を行い、差分データ８０２（Ｐ1，Ｐ2，Ｐ3）を算出する。
【００４９】
ＤＵ比データ比較部８００は、入力した遅延プロファイル情報５０１を遅延プロファイル情報８０１として結果表示部９００に出力し（ステップＳ８０３）、算出した差分データ８０２（Ｐ1，Ｐ2，Ｐ3）を結果表示部９００に出力する（ステップＳ８０４）。
【００５０】
（結果表示部）
次に、図７に示す結果表示部９００について説明する。結果表示部９００は、遅延プロファイル情報８０１及び差分データ８０２（Ｐ1，Ｐ2，Ｐ3）を画面に表示し、差分データ８０２（Ｐ1，Ｐ2，Ｐ3）のうちの１つ以上の差分データが、予め設定された閾値よりも大きいと判定した場合、「遅延プロファイル情報８０１は異常である」と判断し、異常フラグを画面に表示する。
【００５１】
図９は、結果表示部９００の処理を示すフローチャートである。結果表示部９００は、ＤＵ比データ比較部８００から遅延プロファイル情報８０１及び差分データ８０２（Ｐ1，Ｐ2，Ｐ3）を入力し、遅延プロファイル情報８０１及び差分データ８０２を画面に表示する（ステップＳ９０１）。そして、結果表示部９００は、差分データ８０２（Ｐ1，Ｐ2，Ｐ3）のそれぞれと予め設定された閾値とを比較する（ステップＳ９０２〜ステップＳ９０４）。
【００５２】
結果表示部９００は、ステップＳ９０２〜ステップＳ９０４において、差分データ８０２（Ｐ1，Ｐ2，Ｐ3）のうちの１つ以上の差分データが閾値よりも大きいと判定した場合、「遅延プロファイル情報８０１は異常である」と判断し、すなわち「遅延プロファイル情報８０１には、周波数変動による架空の遅延波が含まれる」と判断し（ステップＳ９０５）、異常フラグを画面に表示する（ステップＳ９０６）。そして、結果表示部９００は、ステップＳ９０１へ移行して次のシンボルの処理を行い、図９に示す処理を繰り返す。
【００５３】
ここで、差分データ８０２（Ｐ1，Ｐ2，Ｐ3）のうちの１つ以上の差分データが閾値よりも大きいという状態は、遅延プロファイル情報８０１における遅延波が、遅延プロファイル情報８０１において有効シンボル長の１／１２の整数倍に相当する遅延時間の位置に現れ、観測されたりされなかったりと時間的に変化していることを示している。つまり、遅延プロファイル情報８０１には、周波数変動による架空の遅延波が含まれる可能性があると言える。
【００５４】
一方、結果表示部９００は、ステップＳ９０２〜ステップＳ９０４において、差分データ８０２（Ｐ1，Ｐ2，Ｐ3）のうちの全ての差分データが閾値以下であると判定した場合、「遅延プロファイル情報８０１は正常である」と判断し、すなわち「遅延プロファイル情報８０１には、周波数変動による架空の遅延波が含まれない」と判断する（ステップＳ９０７）。そして、結果表示部９００は、ステップＳ９０１へ移行し、次のシンボルの処理を行い、図９に示す処理を繰り返す。
【００５５】
ここで、差分データ８０２（Ｐ1，Ｐ2，Ｐ3）のうちの全ての差分データが閾値以下であるという状態は、遅延プロファイル情報８０１において、有効シンボル長の１／１２の整数倍に相当する遅延時間の位置に現れる遅延波は時間的変化がない、または、その位置に遅延波は現れていないことを示している。つまり、遅延プロファイル情報８０１には、周波数変動による架空の遅延波が含まれていないと言える。
【００５６】
また、結果表示部９００は、入力した遅延プロファイル情報８０１及び差分データ８０２（Ｐ1，Ｐ2，Ｐ3）を測定データとして外部へ出力すると共に、異常フラグを外部へ出力する。
【００５７】
以上のように、本発明による遅延プロファイル測定装置１によれば、ＤＵ比データ比較部８００が、遅延プロファイル情報５０１における有効シンボル長の１／１２の整数倍に相当する遅延時間のＤＵ比データと、過去の遅延プロファイル情報７０１における同じ遅延時間のＤＵ比データとの間の差分データ８０２（Ｐ1，Ｐ2，Ｐ3）を算出するようにした。また、結果表示部９００が、遅延プロファイル情報８０１及び差分データ８０２（Ｐ1，Ｐ2，Ｐ3）を画面に表示し、差分データ８０２（Ｐ1，Ｐ2，Ｐ3）のうちの１つ以上の差分データが閾値よりも大きいと判定した場合、「遅延プロファイル情報８０１は異常である」と判断し、異常フラグを画面に表示するようにした。
【００５８】
差分データ８０２（Ｐ1，Ｐ2，Ｐ3）のうちの１つ以上の差分データが閾値よりも大きいという状態は、遅延プロファイル情報８０１における遅延波が、遅延プロファイル情報８０１において有効シンボル長の１／１２の整数倍に相当する遅延時間の位置に現れ、観測されたりされなかったりと時間的に変化していることを示しており、遅延プロファイル情報８０１には、周波数変動による架空の遅延波が含まれる可能性があることを示している。これにより、遅延プロファイル測定装置１は、地上デジタル放送波の遅延プロファイルを測定する際に、遅延プロファイルに、周波数変動による架空の遅延波が含まれるか否かを判断することができる。そして、異常フラグが遅延プロファイル情報８０１等と共に画面表示されるから、ユーザは、遅延プロファイルに含まれる遅延波が架空の遅延波であるか否かについて、遅延プロファイル情報８０１等以外の情報を必要とすることなく、正確にかつ容易に区別することができる。特に、ユーザが専門的知識を持っていない場合、または経験が少ない場合に有用である。
【００５９】
一般に、遅延プロファイル測定装置１にて用いる周波数は、様々な要因から時間的に変動する。このような周波数変動を補正するために、前述の特許文献１に記載されているように、ＧＩ相関を用いたＡＦＣ回路による補正手段が用いられる。本発明の実施形態による遅延プロファイル測定装置１は、特に、このような周波数補正を行ってもなお、周波数変動による遅延プロファイル測定への影響が生じる場合に適用がある。後述する結果表示部９００の変形例１，２及び実施例２についても同様である。
【００６０】
（結果表示部／変形例１）
次に、図７に示す結果表示部９００における第１の変形例（変形例１）について説明する。結果表示部９００の変形例１は、差分データ８０２（Ｐ1，Ｐ2，Ｐ3）のうちの１つ以上の差分データが、予め設定された閾値よりも大きいと判定した場合、「遅延プロファイル情報８０１は異常である」と判断し、０に設定した遅延プロファイル情報８０１を画面に表示すると共に、差分データ８０２（Ｐ1，Ｐ2，Ｐ3）を画面に表示する。また、結果表示部９００の変形例１は、差分データ８０２（Ｐ1，Ｐ2，Ｐ3）のうちの全ての差分データが閾値以下であると判定した場合、「遅延プロファイル情報８０１は正常である」と判断し、遅延プロファイル情報８０１及び差分データ８０２（Ｐ1，Ｐ2，Ｐ3）を画面に表示する。
【００６１】
図１０は、結果表示部９００の変形例１の処理を示すフローチャートである。結果表示部９００の変形例１は、ＤＵ比データ比較部８００から遅延プロファイル情報８０１及び差分データ８０２（Ｐ1，Ｐ2，Ｐ3）を入力する（ステップＳ１００１）。そして、結果表示部９００の変形例１は、差分データ８０２（Ｐ1，Ｐ2，Ｐ3）のそれぞれと予め設定された閾値とを比較する（ステップＳ１００２〜ステップＳ１００４）。
【００６２】
結果表示部９００の変形例１は、ステップＳ１００２〜ステップＳ１００４において、差分データ８０２（Ｐ1，Ｐ2，Ｐ3）のうちの１つ以上の差分データが閾値よりも大きいと判定した場合、「遅延プロファイル情報８０１は異常である」と判断し、すなわち「遅延プロファイル情報８０１には、周波数変動による架空の遅延波が含まれる」と判断し（ステップＳ１００５）、入力した遅延プロファイル情報８０１の全てのＤＵ比データを０に設定する（ステップＳ１００６）。
【００６３】
一方、結果表示部９００の変形例１は、ステップＳ１００２〜ステップＳ１００４において、差分データ８０２（Ｐ1，Ｐ2，Ｐ3）のうちの全ての差分データが閾値以下であると判定した場合、「遅延プロファイル情報８０１は正常である」と判断し、すなわち「遅延プロファイル情報８０１には、周波数変動による架空の遅延波が含まれない」と判断する（ステップＳ１００７）。
【００６４】
結果表示部９００の変形例１は、ステップＳ１００６またはステップＳ１００７から移行して、遅延プロファイル情報８０１及び差分データ８０２（Ｐ1，Ｐ2，Ｐ3）を画面に表示する（ステップＳ１００８）。そして、結果表示部９００の変形例１は、ステップＳ１００１へ移行し、次のシンボルの処理を行い、図１０に示す処理を繰り返す。
う。
【００６５】
また、結果表示部９００の変形例１は、ステップＳ１００２〜ステップＳ１００４において、差分データ８０２（Ｐ1，Ｐ2，Ｐ3）のうちの全ての差分データが閾値以下であると判定して「遅延プロファイル情報８０１は正常である」と判断した場合、遅延プロファイル情報８０１及び差分データ８０２（Ｐ1，Ｐ2，Ｐ3）を測定データとして外部へ出力する。
【００６６】
以上のように、本発明による遅延プロファイル測定装置１によれば、結果表示部９００の変形例１が、差分データ８０２（Ｐ1，Ｐ2，Ｐ3）のうちの１つ以上の差分データが閾値よりも大きいと判定した場合、「遅延プロファイル情報８０１は異常である」と判断し、遅延プロファイル情報８０１を０に設定して表示すると共に、差分データ８０２（Ｐ1，Ｐ2，Ｐ3）を画面に表示するようにした。また、差分データ８０２（Ｐ1，Ｐ2，Ｐ3）のうちの全ての差分データが閾値以下であると判定した場合、「遅延プロファイル情報８０１は正常である」と判断し、遅延プロファイル情報８０１及び差分データ８０２（Ｐ1，Ｐ2，Ｐ3）を画面に表示するようにした。
【００６７】
これにより、遅延プロファイル測定装置１は、地上デジタル放送波の遅延プロファイルを測定する際に、遅延プロファイルに、周波数変動による架空の遅延波が含まれるか否かを判断することができる。そして、遅延プロファイルに周波数変動による架空の遅延波が含まれる場合、算出した遅延プロファイル情報８０１は画面表示されず、遅延プロファイルに周波数変動による架空の遅延波が含まれない場合、算出した遅延プロファイル情報８０１が画面表示される。したがって、ユーザは、周波数変動による架空の遅延波を含まない遅延プロファイル情報８０１のみを画面にて観測することができ、架空の遅延波であるか実際に存在する遅延波であるかを区別する必要がない。特に、ユーザが専門的知識を持っていない場合、または経験が少ない場合に有用である。
【００６８】
（結果表示部／変形例２）
次に、図７に示す結果表示部９００における第２の変形例（変形例２）について説明する。結果表示部９００の変形例２は、差分データ８０２（Ｐ1，Ｐ2，Ｐ3）のうちの全ての差分データが、予め設定された閾値以下であると判定した場合、「遅延プロファイル情報８０１は正常である」と判断し、遅延プロファイル情報８０１及び差分データ８０２（Ｐ1，Ｐ2，Ｐ3）をメモリに格納して画面に表示する。また、結果表示部９００の変形例２は、差分データ８０２（Ｐ1，Ｐ2，Ｐ3）のうちの１つ以上の差分データが閾値よりも大きいと判定した場合、「遅延プロファイル情報８０１は異常である」と判断し、メモリから遅延プロファイル情報８０１及び差分データ８０２（Ｐ1，Ｐ2，Ｐ3）を読み出し、異常である遅延プロファイル情報８０１及び差分データ８０２（Ｐ1，Ｐ2，Ｐ3）を、メモリから読み出した正常な遅延プロファイル情報８０１及び差分データ８０２（Ｐ1，Ｐ2，Ｐ3）に置換し、画面に表示する。
【００６９】
図１１は、結果表示部９００の変形例２の処理を示すフローチャートである。結果表示部９００の変形例２は、ＤＵ比データ比較部８００から遅延プロファイル情報８０１及び差分データ８０２（Ｐ1，Ｐ2，Ｐ3）を入力する（ステップＳ１１０１）。そして、結果表示部９００の変形例２は、差分データ８０２（Ｐ1，Ｐ2，Ｐ3）のそれぞれと予め設定された閾値とを比較する（ステップＳ１１０２〜ステップＳ１１０４）。
【００７０】
結果表示部９００の変形例２は、ステップＳ１１０２〜ステップＳ１１０４において、差分データ８０２（Ｐ1，Ｐ2，Ｐ3）のうちの１つ以上の差分データが閾値よりも大きいと判定した場合、「遅延プロファイル情報８０１は異常である」と判断し、すなわち「遅延プロファイル情報８０１には、周波数変動による架空の遅延波が含まれる」と判断し（ステップＳ１１０５）、正常であると判断した遅延プロファイル情報８０１及び差分データ８０２（Ｐ1，Ｐ2，Ｐ3）をメモリから読み出し、異常であると判断した遅延プロファイル情報８０１及び差分データ８０２（Ｐ1，Ｐ2，Ｐ3）を、正常であると判断した遅延プロファイル情報８０１及び差分データ８０２（Ｐ1，Ｐ2，Ｐ3）に置換する（ステップＳ１１０６）。
【００７１】
この場合、結果表示部９００の変形例２は、正常であると判断した最新の複数の遅延プロファイル情報８０１及び差分データ８０２（Ｐ1，Ｐ2，Ｐ3）をメモリに格納しておき、メモリからこれらの遅延プロファイル情報８０１及び差分データ８０２（Ｐ1，Ｐ2，Ｐ3）を読み出して平均値を算出し、異常であると判断した遅延プロファイル情報８０１及び差分データ８０２（Ｐ1，Ｐ2，Ｐ3）を、算出した平均値に置換するようにしてもよい。
【００７２】
一方、結果表示部９００の変形例２は、ステップＳ１１０２〜ステップＳ１１０４において、差分データ８０２（Ｐ1，Ｐ2，Ｐ3）のうちの全ての差分データが閾値以下であると判定した場合、「遅延プロファイル情報８０１は正常である」と判断し、すなわち「遅延プロファイル情報８０１には、周波数変動による架空の遅延波が含まれない」と判断し（ステップＳ１１０７）、入力した遅延プロファイル情報８０１及び差分データ８０２（Ｐ1，Ｐ2，Ｐ3）をメモリに格納する（ステップＳ１１０８）。この場合、メモリには、１シンボル分の遅延プロファイル情報８０１及び差分データ８０２（Ｐ1，Ｐ2，Ｐ3）が格納されるか、または、ステップＳ１１０６において平均値が算出される場合に対応した複数シンボル分の遅延プロファイル情報８０１及び差分データ８０２（Ｐ1，Ｐ2，Ｐ3）が格納される。
【００７３】
結果表示部９００の変形例２は、ステップＳ１１０６またはステップＳ１１０８から移行して、遅延プロファイル情報８０１及び差分データ８０２（Ｐ1，Ｐ2，Ｐ3）を画面に表示する（ステップＳ１１０９）。そして、結果表示部９００の変形例２は、ステップＳ１１０１へ移行し、次のシンボルの処理を行い、図１１に示す処理を繰り返す。
【００７４】
また、結果表示部９００の変形例２は、ステップＳ１１０２〜ステップＳ１１０４において、差分データ８０２（Ｐ1，Ｐ2，Ｐ3）のうちの全ての差分データが閾値以下であると判定して「遅延プロファイル情報８０１は正常である」と判断した場合、遅延プロファイル情報８０１及び差分データ８０２（Ｐ1，Ｐ2，Ｐ3）を測定データとして外部へ出力する。
【００７５】
以上のように、本発明による遅延プロファイル測定装置１によれば、結果表示部９００の変形例２が、差分データ８０２（Ｐ1，Ｐ2，Ｐ3）のうちの全ての差分データが閾値以下であると判定した場合、「遅延プロファイル情報８０１は正常である」と判断し、遅延プロファイル情報８０１及び差分データ８０２（Ｐ1，Ｐ2，Ｐ3）をメモリに格納して画面に表示するようにした。また、差分データ８０２（Ｐ1，Ｐ2，Ｐ3）のうちの１つ以上の差分データが閾値よりも大きいと判定した場合、「遅延プロファイル情報８０１は異常である」と判断し、メモリから遅延プロファイル情報８０１及び差分データ８０２（Ｐ1，Ｐ2，Ｐ3）を読み出し、異常である遅延プロファイル情報８０１及び差分データ８０２（Ｐ1，Ｐ2，Ｐ3）を、メモリから読み出した正常な遅延プロファイル情報８０１及び差分データ８０２（Ｐ1，Ｐ2，Ｐ3）に置換し、画面に表示するようにした。
【００７６】
これにより、遅延プロファイル測定装置１は、地上デジタル放送波の遅延プロファイルを測定する際に、遅延プロファイルに、周波数変動による架空の遅延波が含まれるか否かを判断することができる。そして、遅延プロファイルに周波数変動による架空の遅延波が含まれる場合、遅延プロファイル情報８０１は過去の正しい情報に置換されて画面表示され、遅延プロファイルに周波数変動による架空の遅延波が含まれない場合、入力された遅延プロファイル情報８０１が画面表示される。したがって、ユーザは、周波数変動による架空の遅延波を含まない遅延プロファイル情報８０１のみを画面にて観測することができ、架空の遅延波であるか実際に存在する遅延波であるかを区別する必要がない。特に、ユーザが専門的知識を持っていない場合、または経験が少ない場合に有用である。
【００７７】
〔実施例２〕
次に、実施例２について説明する。実施例２は、遅延プロファイルにおける有効シンボル長の１／１２の整数倍に相当する遅延時間の位相データと、過去の遅延プロファイルにおける同じ遅延時間の位相データとの間の差分を算出し、この差分データが、予め設定された閾値よりも大きい場合、遅延プロファイルは異常である、と判断する例である。
【００７８】
図１２は、実施例２の遅延プロファイル測定装置の構成を示すブロック図である。この遅延プロファイル測定装置２は、受信アンテナ部１００、チューナー部２００、ＯＦＤＭ復調部３００、周波数特性算出部４００、遅延プロファイル算出部５００、測定トリガー部６００、遅延プロファイルバッファ部７００、位相データ比較部８１０及び結果表示部９００を備えている。
【００７９】
図７に示した実施例１の遅延プロファイル測定装置１と、図１２に示す実施例２の遅延プロファイル測定装置２とを比較すると、遅延プロファイル測定装置１，２は、受信アンテナ部１００、チューナー部２００、ＯＦＤＭ復調部３００、周波数特性算出部４００、遅延プロファイル算出部５００、測定トリガー部６００、遅延プロファイルバッファ部７００及び結果表示部９００を備えている点で同一である。これに対し、遅延プロファイル測定装置２は、遅延プロファイル測定装置１に備えたＤＵ比データ比較部８００の代わりに、位相データ比較部８１０を備えている点で相違する。
【００８０】
受信アンテナ部１００、チューナー部２００、ＯＦＤＭ復調部３００、周波数特性算出部４００、遅延プロファイル算出部５００、測定トリガー部６００、遅延プロファイルバッファ部７００及び結果表示部９００については既に説明済みであるから、ここでは説明を省略する。
【００８１】
位相データ比較部８１０は、遅延プロファイル算出部５００から遅延プロファイル情報５０１を入力すると共に、遅延プロファイルバッファ部７００から過去の遅延プロファイル情報７０１を入力し、遅延プロファイル情報５０１における有効シンボル長の１／１２の整数倍に相当する遅延時間の位相データと、過去の遅延プロファイル情報７０１における同じ遅延時間の位相データとの間の差分データ８０２（Ｐ1，Ｐ2，Ｐ3）を算出する。そして、位相データ比較部８１０は、入力した遅延プロファイル情報５０１を遅延プロファイル情報８０１として結果表示部９００に出力すると共に、算出した差分データ８０２（Ｐ1，Ｐ2，Ｐ3）を結果表示部９００に出力する。
【００８２】
位相データ比較部８１０は、図８に示したＤＵ比データ比較部８００の処理と同様の処理を行う。位相データ比較部８１０は、ステップＳ８０２において、ＤＵ比データの代わりに位相データを用いて、差分データ８０２（Ｐ1，Ｐ2，Ｐ3）を算出する。
【００８３】
尚、位相データ比較部８１０は、遅延プロファイル算出部５００からＩ，Ｑデータの遅延プロファイル情報５０１を入力し、遅延プロファイルバッファ部７００からＩ，Ｑデータの過去の遅延プロファイル情報７０１を入力した場合、各Ｉ，Ｑデータを、主波との比率で表される位相データに換算し、前述と同様の処理を行い、差分データ８０２（Ｐ1，Ｐ2，Ｐ3）を算出する。また、実施例２の遅延プロファイル測定装置２は、前述した結果表示部９００の変形例１，２を備えるようにしてもよい。
【００８４】
以上のように、本発明による遅延プロファイル測定装置２によれば、位相データ比較部８１０が、遅延プロファイル情報５０１における有効シンボル長の１／１２の整数倍に相当する遅延時間の位相データと、過去の遅延プロファイル情報７０１における同じ遅延時間の位相データとの間の差分データ８０２（Ｐ1，Ｐ2，Ｐ3）を算出するようにした。また、結果表示部９００が、遅延プロファイル情報８０１及び差分データ８０２（Ｐ1，Ｐ2，Ｐ3）を画面に表示し、差分データ８０２（Ｐ1，Ｐ2，Ｐ3）のうちの１つ以上の差分データが閾値よりも大きいと判定した場合、「遅延プロファイル情報８０１は異常である」と判断し、異常フラグを画面に表示するようにした。
【００８５】
これにより、実施例１と同様の効果を奏する。すなわち、遅延プロファイル測定装置２は、地上デジタル放送波の遅延プロファイルを測定する際に、遅延プロファイルに、周波数変動による架空の遅延波が含まれるか否かを判断することができる。
【００８６】
尚、実施例１，２における遅延プロファイル測定装置１，２のハードウェア構成としては、通常のコンピュータを使用することができる。遅延プロファイル測定装置１，２は、ＣＰＵ、ＲＡＭ等の揮発性の記憶媒体、ＲＯＭ等の不揮発性の記憶媒体、及びインターフェース等を備えたコンピュータによって構成される。実施例１の遅延プロファイル測定装置１に備えたＯＦＤＭ復調部３００、周波数特性算出部４００、遅延プロファイル算出部５００、測定トリガー部６００、遅延プロファイルバッファ部７００、ＤＵ比データ比較部８００及び結果表示部９００の各機能は、これらの機能を記述したプログラムをＣＰＵに実行させることによりそれぞれ実現される。同様に、実施例２の遅延プロファイル測定装置２に備えたＯＦＤＭ復調部３００、周波数特性算出部４００、遅延プロファイル算出部５００、測定トリガー部６００、遅延プロファイルバッファ部７００、位相データ比較部８１０及び結果表示部９００の各機能も、これらの機能を記述したプログラムをＣＰＵに実行させることによりそれぞれ実現される。また、これらのプログラムは、磁気ディスク（フロッピー（登録商標）ディスク、ハードディスク等）、光ディスク（ＣＤ−ＲＯＭ、ＤＶＤ等）、半導体メモリ等の記憶媒体に格納して頒布することもできる。
【００８７】
以上、実施例１，２を挙げて本発明を説明したが、本発明は前記実施例１，２に限定されるものではなく、その技術思想を逸脱しない範囲で種々変形可能である。例えば、前記実施例１，２では、結果表示部９００は、遅延プロファイル情報８０１及び差分データ８０２（Ｐ1，Ｐ2，Ｐ3）を画面に表示するようにしたが、遅延プロファイル情報８０１のみを画面に表示するようにしてもよい。
【符号の説明】
【００８８】
１，２  遅延プロファイル測定装置
１００  受信アンテナ部
１０１  ＯＦＤＭ信号
２００  チューナー部
２０１  ＩＦ信号
３００  ＯＦＤＭ復調部
３０１  ＳＰ信号データ
３０２  パラメータ情報
４００  周波数特性算出部
４０１  周波数特性情報
５００  遅延プロファイル算出部
５０１，８０１  遅延プロファイル情報
６００  測定トリガー部
６０１  測定開始信号
７００  遅延プロファイルバッファ部
７０１  過去の遅延プロファイル情報
８００  ＤＵ比データ比較部（遅延プロファイル比較部）
８０２  差分データ
８１０  位相データ比較部
９００  結果表示部（異常判断部）
【図１】
0005478451.tif 000004
【図２】
0005478451.tif 000005
【図３】
0005478451.tif 000006
【図４】
0005478451.tif 000007
【図５】
0005478451.tif 000008
【図６】
0005478451.tif 000009
【図７】
0005478451.tif 000010
【図８】
0005478451.tif 000011
【図９】
0005478451.tif 000012
【図１０】
0005478451.tif 000013
【図１１】
0005478451.tif 000014
【図１２】
0005478451.tif 000015